(57)【特許請求の範囲】
【請求項１】
少なくとも一つの感光性ポリマーフィルム（２０，２６，２７）を備えている左目用の干渉フィルタ（３，２１，２５，３２，３３，４０）および右目用の干渉フィルタ（３，２１，２５，３２，３３，４０）を用いてステレオ画像、又はステレオ画像の透視画像を見るための眼鏡（１）において、
前記少なくとも一つの感光性ポリマーフィルム（２０，２６，２７）内には、個別化された少なくとも二つのフィルタ領域（６，７，８，９，１０，２２，２８，２９，３０，３１，３４，３５，３６，３７，３８，３９）が配置されており、
前記フィルタ領域（６，７，８，９，１０，２２，２８，２９，３０，３１，３４，３５，３６，３７，３８，３９）は、前記干渉フィルタ（３，２１，２５，３２，３３，４０）の第１の外面（５，２３）に対して垂直に延びる少なくとも一つの垂線（１１，１３，１５）に沿って、前記垂線（１１，１３，１５）が前記第１の外面（５，２３）を通る第１の点（１２，１４，１６）と、前記垂線（１１，１３，１５）が前記第１の点（１２，１４，１６）を起点として前記干渉フィルタ（３，２１，２５，３２，３３，４０）を貫通して前記干渉フィルタ（３，２１，２５，３２，３３，４０）の第２の外面（４，２４）を通る第２の点（１７，１８，１９）との間において積層化されて配置されており、且つ、
前記垂線（１１，１３，１５）に沿って、電磁スペクトルの各所定の波長区間に対して５％を下回る残余透過率を有し、
前記左目用の干渉フィルタ（３，２１，２５，３２，３３，４０）は、前記第１の外面に対して垂直に延びる第１の垂線が前記第１の外面を通る点と前記第２の外面を通る点との間において積層化されて配置されている複数のフィルタ領域（３４，３５，３６）の第１のセットを備え、前記右目用の干渉フィルタ（３，２１，２５，３２，３３，４０）は、前記第１の外面に対して垂直に延びる第２の垂線が前記第１の外面を通る点と前記第２の外面を通る点との間において積層化されて配置されている複数のフィルタ領域（３７，３８，３９）の第２のセットを備えており、
前記第１のセットの前記フィルタ領域（３４，３５，３６）の残余透過率が５％を下回る波長領域は、前記第２のセットの前記フィルタ領域（３７，３８，３９）の残余透過率が５％を下回る波長領域とは異なる、
眼鏡（１）。
【請求項２】
前記フィルタ領域（６，７，８，９，１０，２２，２８，２９，３０，３１，３４，３５，３６，３７，３８，３９）の内の少なくとも二つ又は全てのフィルタ領域は、単一の感光性ポリマーフィルム（２６，２７）内に配置されている、
請求項１に記載の眼鏡（１）。
【請求項３】
積層化された少なくとも二つの感光性ポリマーフィルム（２６，２７）を有しており、
前記フィルタ領域の内の少なくとも二つのフィルタ領域（２８，２９，３０，３１）は異なる感光性ポリマーフィルム（２６，２７）内に配置されているか、又は、各フィルタ領域はそれぞれ一つの感光性ポリマーフィルム内に配置されている、
請求項１又は２に記載の眼鏡（１）。
【請求項４】
前記フィルタ領域の内の少なくとも一つのフィルタ領域（６，２２，２９，３１）が前記干渉フィルタ（３，２１，２５）全体にわたり延在している、及び／又は、
隣接して配置されている複数のフィルタ領域（７，８，９）が、前記干渉フィルタ（３）にわたり延在している一つのフィルタ層を形成している、
請求項１乃至３のいずれか一項に記載の眼鏡（１）。
【請求項５】
前記干渉フィルタ（３，２１，３２，３３，４０）は、前記眼鏡（１）を装着した人の視角に依存する、前記フィルタ領域の内の少なくとも一つのフィルタ領域（６，７，８，９，１０，２２，３４，３５，３６，３７，３８，３９）の透過特性のシフトを低減するために、湾曲した形状を有している、
請求項１乃至４のいずれか一項に記載の眼鏡（１）。
【請求項６】
前記干渉フィルタはガラス基板又はプラスチック基板又は熱可塑性基板又はフィルム基板上に被着されている、
請求項１乃至５のいずれか一項に記載の眼鏡（１）。
【請求項７】
少なくとも一つの波長区間又は全ての波長区間は少なくとも部分的に、可視の前記電磁スペクトル内に位置している、
請求項１乃至６のいずれか一項に記載の眼鏡（１）。
【請求項８】
前記第１のセットの第１のフィルタ領域（３４）は４５３ｎｍから４７７ｎｍの波長に対して５％を下回る残余透過率を有している、及び／又は、前記第１のセットの第２のフィルタ領域（３５）は５３７ｎｍから５６３ｎｍの波長に対して５％を下回る残余透過率を有している、及び／又は、前記第１のセットの第３のフィルタ領域（３６）は６５１ｎｍから６２１ｎｍの波長に対して５％を下回る残余透過率を有している、及び／又は、前記第２のセットの第１のフィルタ領域（３７）は４４１ｎｍから４６３ｎｍの波長に対して５％を下回る残余透過率を有している、及び／又は、前記第２のセットの第２のフィルタ領域（３８）は５２２ｎｍから５４８ｎｍの波長に対して５％を下回る残余透過率を有している、及び／又は、前記第２のセットの第３のフィルタ領域（３９）は６０４ｎｍから６３３ｎｍの波長に対して５％を下回る残余透過率を有している、
請求項１乃至７のいずれか一項に記載の眼鏡（１）。
【発明の詳細な説明】
【技術分野】
【０００１】
本発明は、少なくとも一つの干渉フィルタを備えている、ステレオ画像又はステレオ画像の透視画像を見るための眼鏡に関する。
【背景技術】
【０００２】
特許文献１からは、光学的に３次元で知覚可能な画像表現を形成するためのステレオ投影システムと方法とが公知である。そこでは、ステレオ画像の二つの透視画像の各々（左側又は右側）の画像に対して、青（Ｂ）、緑（Ｇ）及び赤（Ｒ）の色知覚領域において限定的な複数のスペクトル区間が透過されるように、カラーフィルタによって異なるように設定された、可視スペクトルの複数の領域が形成されている。透過区間の位置は二つの透視画像に対して異なるように選定されている。
【０００３】
特許文献２からも同様のシステムが公知である。ステレオ画像を見るために、このシステムでは湾曲したレンズを備えている眼鏡が使用され、各レンズにはスペクトル補色フィルタが設けられている。レンズが湾曲していることにより、またそれによってフィルタも湾曲していることにより、眼鏡を装着した人の視線方向に依存する、フィルタの透過特性の波長シフトが補正される。
【０００４】
更に特許文献３には、特に画像を視覚表示するためのホログラフィ媒体の製造に適している、書込モノマーとしての特殊なウレタンアクリレートを基礎とした感光性ポリマーの用途が開示されている。
【先行技術文献】
【特許文献】
【０００５】
【特許文献１】DE 10 2006 054 713 A1
【特許文献２】WO 2008/140787 A2
【特許文献３】EP 2 218 742 A1
【発明の概要】
【発明が解決しようとする課題】
【０００６】
本発明の課題は、光学的な特性を高い精度で決定することができ、更には、廉価に製造することができる、ステレオ画像又はステレオ画像の透視画像を見るための眼鏡を提供することである。
【課題を解決するための手段】
【０００７】
この課題は請求項１の特徴部分に記載されている構成を備えている眼鏡によって解決される。有利な実施の形態は従属請求項に記載されている。
【０００８】
本発明によれば、少なくとも一つの感光性ポリマーフィルムを有している少なくとも一つの干渉フィルタを用いてステレオ画像、又はステレオ画像の透視画像を見るための眼鏡が提供され、干渉フィルタは、個別化された少なくとも二つのフィルタ領域を有しており、フィルタ領域は、干渉フィルタの第１の外面に対して垂直に延びる少なくとも一つの垂線に沿って、垂線が第１の外面を通る第１の点と、垂線が第１の点を起点として干渉フィルタを貫通してその干渉フィルタの第２の外面を通る第２の点との間において積層化されて配置されており、且つ、垂線に沿って、電磁スペクトルの各所定の波長区間に対して少なくともほぼ非透過性である。
【０００９】
本発明による眼鏡の、感光性ポリマーフィルムを有している干渉フィルタは、コーティング法によって製造される干渉フィルタとは異なり、簡単且つ廉価なやり方で、コヒーレントな光を用いた二つの側からのホログラム露光によって製造される。この露光によって、ポリマーフィルム内にフィルタ領域又は光学的な干渉構造が形成され、それらは続く漂白過程によって固定される。露光の際に入射角度を変化させることによって、干渉構造の高さ、従ってフィルタ領域の反射スペクトル及び透過スペクトルを調整することができる。そのようにして、高い精度でフィルタ領域を製造することができ、特に１０ｎｍから１５ｎｍの厚さ、また入射光の１０％を下回る、５％を下回る、３％を下回る、２％を下回る、またそれどころか１％を下回る残余透過率を有している、層状のフィルタ領域又はフィルタ層を製造することができる。換言すれば、前述のフィルタ領域乃至フィルタ層は入射する光に対してほぼ非透過性である。使用される光学的な露光方法は高いプロセス安定性を示す。何故ならば、露光は通常の場合、一定の波長のレーザを用いて行なわれるからである。ポリマーフィルムのフィルム厚さ又は屈折率の場合によっては生じる変動は、確かに、形成されるフィルタ領域の内部構造に影響を及ぼすが、しかしながら、反射特性には殆ど影響を及ぼさない。機械的な変動は僅かであり、非常に短い露光時間によって良好に制御することができる。更には、通常の場合は真空中で実施されるコーティングプロセスを省略することができるので、本発明による眼鏡は、ステレオ画像を見るための公知の眼鏡とは異なり、簡単且つ廉価に製造することができ、特に一つの連続的なプロセスにおいて製造することができる。更には、ポリマー材料を用いることによって、ほぼ全ての形状の干渉フィルタを実現することができ、また半径の小さい干渉フィルタも実現することができる。フィルタ領域の数及び配置構成並びに所定の波長区間を適切に選択することによって、任意の透過特性を備えた、ステレオ画像を見るための眼鏡を製造することができる。干渉フィルタ又はポリマーフィルムを含むフィルタ領域の数は任意である。フィルタ領域の個々の波長区間又は全ての波長区間を相互に隔てることができるか、又は、それらの波長区間を少なくとも部分的に重畳させることができる。湾曲している干渉フィルタを備えている眼鏡では、垂線又は法線の配向が場所に依存し、且つ、干渉フィルタの第１の外面上の第１の点の位置に依存する。しかしながら、本発明による眼鏡にとって、干渉フィルタの複数の外面の内の少なくとも一つの任意の外面に対して垂直に延びており、且つ、その外面と、干渉フィルタの通過後に干渉フィルタの別の外面とを通る少なくとも一つの垂線が設けられており、それらの通過点の間にフィルタ領域が積層化されて配置されていれば十分である。特に、第１の外面が眼鏡を装着した人と対向する側の外面であっても、眼鏡を装着した人とは反対側の外面であっても良い。
【００１０】
本発明による眼鏡では、単一の感光性ポリマーフィルム内に、フィルタ領域の内の少なくとも二つ又は全てのフィルタ領域を配置することができる。眼鏡は更に、積層化された少なくとも二つの感光性ポリマーフィルムを有しており、フィルタ領域の内の少なくとも二つのフィルタ領域は異なる感光性ポリマーフィルム内に配置されているか、又は、各フィルタ領域はそれぞれ一つの感光性ポリマーフィルム内に配置されている。積層化されたポリマーフィルムは個々のポリマーフィルムを重ね合わせることによって製造することができる。従って基本的に、フィルタ領域を一つのポリマーフィルム又は干渉フィルタの内部に完全に設けることができるか、又は、その縁部に配置することができる。フィルタ領域が干渉フィルタの縁部に設けられている場合には、フィルタ領域の表面が干渉フィルタの外面の内の一つの少なくとも一部を形成する。基本的に、二つのフィルタ領域を相互に間隔を空けて設けることができるか、又は、相互に間隔を空けずに積層化することができ、その際、二つのフィルタ領域が同一のポリマーフィルムに形成されているか、又は異なるポリマーフィルムに形成されているか、若しくは、ポリマーフィルムの内部に設けられているか、又はその縁部に設けられているかは問題ではない。
【００１１】
有利には、本発明による眼鏡においては、フィルタ領域の内の少なくとも一つのフィルタ領域が干渉フィルタ全体にわたり延在している、及び／又は、隣接して配置されている複数のフィルタ領域が、干渉フィルタにわたり延在している一つのフィルタ層を形成している。干渉フィルタ全体にわたり延在しているフィルタ領域は前述の露光法によって非常に簡単に製造することができる。しかしながら、フィルタ領域は必ずしもポリマーフィルム全体にわたり延在している必要はなく、その代わりに、フィルタ領域をポリマーフィルムの限定的な領域内にのみ形成することができる。例えば、フィルタ領域はポリマーフィルムの円形の領域内に形成することができる。各フィルタ領域に対してほぼ非透過性である相応に選択された波長区間を有している、相互に接している別のフィルタ領域を用いることによって、ほぼ連続的に変化する透過区間を備えたフィルタ層を実現することができる。横方向において連続的に変化するフィルタ特性を備えているフィルタ層を、コヒーレントな光の露光角度を位置に応じて変化させることによって、ポリマーフィルムのホログラム露光でもって製造することができる。眼鏡の透過特性の、眼鏡を装着した人の視線方向への角度依存性が低減されるか、又は、完全に補償されるように、フィルタ層の横方向に変化するフィルタ特性を設計することができる。
【００１２】
特に有利には、本発明の眼鏡では、眼鏡を装着した人の視角に依存する、フィルタ領域の内の少なくとも一つの透過特性のシフトを低減するために、干渉フィルタが湾曲した形状を有している。フィルムは成形時の可撓性が非常に高い点で優れており、またほぼ全ての任意の形状を取ることができるので、干渉フィルタが一つのポリマーフィルタを含んでいるという状況が非常に有利であることが分かった。例えば、露光されたポリマーフィルムを深絞りによって、種々の視線方向に関するフィルタ領域の透過特性の角度依存性を低減するか、又はそれどころか補償する、湾曲した形状にすることができる。特に有利には、湾曲した又は撓んだ干渉フィルタが、眼鏡の透過特性の視角に依存する波長シフトを低減するために、相応に設計されたフィルタ領域と組み合わされて使用される。
【００１３】
本発明の眼鏡は、ガラスの代わりに少なくとも一つの干渉フィルタを含むことができるか、又は、眼鏡を装着した人の右目及び左目それぞれに対して一つの干渉フィルタを含むことができる。その種の眼鏡は、重量が非常に軽い点で優れており、これは眼鏡フレームの材料を適切に選択することによって更に軽量化することができる。基本的に、干渉フィルタをガラス基板又はプラスチック基板又は熱可塑性基板又はフィルム基板上に被着させることもできる。特に、熱可塑性基板上に被着又は積層化された干渉フィルタを被着後に基板と一緒にあらゆる任意の形状にすることができる。
【００１４】
本発明による眼鏡はステレオ画像を見るために設けられているので、特に有利には少なくとも一つの波長区間、又は全ての波長区間が少なくとも部分的に、可視の電磁スペクトル内に位置している。
【００１５】
更に眼鏡は、有利には、第１の外面に対して垂直に延びる第１の垂線が第１の外面を通る点と第２の外面を通る点との間において積層化されて配置されている複数のフィルタ領域の第１のセットと、第１の外面に対して垂直に延びる第２の垂線が第１の外面を通る点と第２の外面を通る点との間において積層化されて配置されている複数のフィルタ領域の第２のセットとを備えており、第１のセットのフィルタ領域がほぼ非透過性である波長領域は、第２のセットのフィルタ領域がほぼ非透過性である波長領域とは異なる。本発明による眼鏡のこの実施の形態においては、フィルタ領域の二つのセットはそれぞれ眼鏡を装着した人の各目のために設けられており、フィルタ領域が非透過性である各波長区間を適切に選択することによって、立体的に見るために必要とされる透視画像を形成することができる。特に有利には、第１のセットの第１のフィルタ領域は４５３ｎｍから４７７ｎｍの波長に対して少なくともほぼ非透過性である、及び／又は、第１のセットの第２のフィルタ領域は５３７ｎｍから５６３ｎｍの波長に対して少なくともほぼ非透過性である、及び／又は、第１のセットの第３のフィルタ領域は６５１ｎｍから６２１ｎｍの波長に対して少なくともほぼ非透過性である、及び／又は、第２のセットの第１のフィルタ領域は４４１ｎｍから４６３ｎｍの波長に対して少なくともほぼ非透過性である、及び／又は、第２のセットの第２のフィルタ領域は５２２ｎｍから５４８ｎｍの波長に対して少なくともほぼ非透過性である、及び／又は、第２のセットの第３のフィルタ領域は６０４ｎｍから６３３ｎｍの波長に対して少なくともほぼ非透過性である。
【００１６】
以下では、図面を参照しながら、複数の実施例に基づき本発明を詳細に説明する。
【図面の簡単な説明】
【００１７】
【図１】ステレオ画像を見るための眼鏡を示す。
【図２】図１に示した眼鏡の干渉フィルタの断面図を示す。
【図３】ホログラム露光されたポリマーフィルムを示す。
【図４】別の眼鏡の干渉フィルタの断面図を示す。
【図５】図４に示した干渉フィルタを備えている眼鏡の透過特性を概略的に示す。
【図６】湾曲部を備えている、図４に示した干渉フィルタを示す。
【図７】別の干渉フィルタを示す。
【図８】眼鏡を装着した人の各目にそれぞれ一つずつ対応付けられている、本発明による眼鏡の二つのフィルタ領域を示す。
【図９】眼鏡を装着した人の各目にそれぞれ一つずつ対応付けられているフィルタ領域の各セットを備えている、本発明による眼鏡の干渉フィルタを示す。
【図１０】別の本発明による眼鏡の透過特性を示す。
【発明を実施するための形態】
【００１８】
図１には、ステレオ画像を見るための本発明による眼鏡１が示されている。眼鏡１はフレーム２と、レンズの代わりとなる、右側のフィルム状干渉フィルタ３並びに左側のフィルム状干渉フィルタ３とを有している。レンズの代わりに干渉フィルタ３が使用されることによって、眼鏡１の重量は総じて軽くなっている。二つの干渉フィルタ３は同様の構成を有しており、また、可視光の波長スペクトルに関して、この眼鏡１を用いて公知のやり方で、ステレオ画像の二つの透視画像の各々（左側及び右側）の画像に対して異なるように設定されている可視スペクトルの領域が形成されるような光学的な特性若しくは透過特性を有している。
【００１９】
図２にはフィルム状の干渉フィルタ３の断面が示されている。干渉フィルタ３は湾曲した形状を有しており、この形状は眼鏡を装着した人の異なる視線方向、特に横方向の視線方向での干渉フィルタ３の透過特性の波長シフトを低減するために設けられている。このことは下記において図４から６を参照しながら詳細に説明する。図２から見て取れるように、眼鏡１を装着した人と対向する側の干渉フィルタ３の外面４と、眼鏡１を装着した人とは反対側の干渉フィルタ３の外面５との間には、層状の種々のフィルタ領域６，７，８，９及び１０が形成されている。フィルタ領域６，７，８，９及び１０は個別化されている。つまり、それらのフィルタ領域６，７，８，９及び１０は相互に一義的に区別することができ、また特に重畳部を有していない。この実施の形態において、フィルタ領域６は、干渉フィルタ３の外面４と外面５との間において干渉フィルタ３全体にわたり延在しているフィルタ領域又はフィルタ層である。並んで配置されている三つのフィルタ領域７，８及び９は一緒に、フィルタ層６に実質的に平行に延びており、且つ、フィルタ層６から間隔を空けて、フィルタ６と同様に干渉フィルタ３全体にわたり延在している一つのフィルタ層を形成している。これに対して、外面４の一番近くに位置する層状のフィルタ領域１０は局地的に限定されて設けられている。
【００２０】
各フィルタ領域６，７，８，９及び１０は、可視光のそれぞれ定められた波長区間に対して、５％を下回る残余透過率を有しており、従ってその波長領域の波長に対してほぼ非透過性である。その種のフィルタ領域はノッチフィルタとも称される。
【００２１】
コヒーレントな二つのレーザビームを用いた感光性ポリマーフィルムのホログラム露光、またそれに続く、漂白過程における固定によって、フィルタ領域６，７，８，９及び１０がポリマーフィルム内に形成され、そのポリマーフィルムが内部に形成されたフィルタ層６，７，８，９及び１０と共に最終的に相互に積層化されることによって、干渉フィルタ３は製造される。例えばフィルタ層６を、ポリマーフィルムの露光によって第１の感光性ポリマーフィルム内に形成することができる。ポリマーフィルムの露光後に、その露光によって内部に形成されたフィルタ層６が固定される。相応のやり方で、フィルタ層７，８及び９を第２の感光性ポリマーフィルム内に形成することができる。単一のポリマーフィルム内において相互に並んで配置されているフィルタ層７，８及び９を達成するために、露光中にポリマーフィルムに対する露光角度が位置に応じて変更される。同様に、第３のポリマーフィルム内にフィルタ層１０を形成することができる。第２のポリマーフィルムが第３のポリマーフィルムの上に重ねられ、第１のポリマーフィルムが第２のポリマーフィルムに重ねられると、それによって図２に示されている構造を有する干渉フィルタ３が得られ、これを眼鏡１において使用することができる。
【００２２】
干渉フィルタ３が湾曲した形状又は撓んだ形状を有しているので、外面４又は５の各点を通る、各外面４及び５に対して垂直に延びる垂線はそれぞれ異なる配向を有している。図２においては例示的に、外面５の点１２において外面５に対し垂直に延びる垂線１１と、外面５の別の点１４において外面５に対して垂直に延びる垂線１３と、外面５の更に別の点１６において外面５に対して垂直に延びる垂線１５とが示されている。この実施例のように外面４及び５が実質的に相互に平行である特別な場合には、垂線１１，１３及び１５が二つの外面４及び５のいずれに対しても同時に直角又は垂直である。つまりこのことは一般的に必ずしも必要では無い。何故ならば、外面４及び５は大抵の場合、異なる形状を有していることが考えられ、特に平行に延びている必要はないからである。従って本願発明の対象にとっては、請求項１の特徴部分に記載されている構成を満たしている、外面４又は５のいずれか一方に対して垂直である垂線が一つでも存在していれば十分である。
【００２３】
外面５の点１２を通って延びる垂線１１は点１７において外面４を通り、その一方で、外面５の点１４を通って延びる垂線１３は点１８において外面４を通り、また、外面５の点１６を通って延びる垂線１５は点１９において外面４を通る。点１２と点１７との間には、フィルタ領域６及び７が重なって配置されており、点１４と点１８との間には、フィルタ領域６，８及び１０が重なって配置されており、また、点１６と点１９との間には、フィルタ領域６，９及び１０が重なって配置されている。このことは、垂線１１に沿った視線方向ではフィルタ領域６及び７の光学的な作用が付加されることを意味する。何故ならば、垂線１１に沿った各フィルタ領域６及び７は電磁スペクトルの所定の各波長区間に対して少なくともほぼ非透過性であり、それによってその視線方向における干渉フィルタ３は、フィルタ領域６が非透過性である波長区間に対してほぼ非透過性であるだけでなく、フィルタ領域７が非透過性である波長区間に対してもほぼ非透過性であるからである。干渉フィルタ３を通過して上記の視線方向に入射する光からそれら二つの波長区間が除かれるか、若しくは、それら二つの波長区間が干渉フィルタ３によってブロックされる。相応に、垂線１３に沿った視線に関してフィルタ領域６，８及び１０は協働し、また垂線１５に沿った視線に関してフィルタ領域６，９及び１０は協働し、それどころかいずれの場合においても干渉フィルタ３によって三つの波長区間がブロックされる。垂線に沿っているのではなく、任意の方向に延びる視線方向に関しても干渉フィルタ３は同様に作用する。従って、フィルタ領域６，７，８，９及び１０の内のどのフィルタ領域が任意の視線方向においてそれと交差しているかに応じて、干渉フィルタ３の相応の波長区間がブロックされる。従って、フィルタ領域の数、形状、大きさ及び配置を適切に選択することによって、またそれらのフィルタ領域によってブロックされる波長区間を適切に選択することによって、任意の視線方向に関してほぼ任意の透過特性を備えた眼鏡を実現することができる。特にそのようにして、視線方向に依存する、干渉フィルタの透過特性の波長シフトを少なくとも低減することができるか、又は、それどころか完全に補償することができる。このために、フィルタ領域を有利には、干渉フィルタの相応の成形部、特に湾曲部と組み合わせることができる。
【００２４】
フィルタ領域７，８及び９の上述の例と同様に横方向に変化する透過特性を備えたフィルタ層を得るために、異なるフィルタを備えている複数のフィルタ領域を相互に並べて配置する代わりに、コヒーレントなレーザ光を異なる入射角度で両面からポリマーフィルムに入射させることによって、ホログラム露光により感光性ポリマーフィルム内に横方向に連続的に変化する透過特性を備えた一つのフィルタを形成することができる。このことは図３においてポリマーフィルム２０を例にして示されている。このポリマーフィルム２０は図３においてコヒーレントなレーザ光でもって上側及び下側から照射され、ポリマーフィルム２０へのレーザ光の入射角度は位置に応じて変化する。
【００２５】
別の実施例として、図４には、それぞれが相互に間隔を空けており、且つ、干渉フィルタ２１全体にわたって相互に平行に延在している、全部で８個のフィルタ領域２２又はフィルタ層を備えた湾曲していない干渉フィルタ２１の断面図が示されている。８個の各フィルタ領域２２は各波長区間に対してほぼ非透過性であり、全部で８個の波長区間は相互に分離されている。従って干渉フィルタ２１全体に関しては、図５において一例として概略的に示した透過特性が生じる。図５には、干渉フィルタ２１の透過率Ｔが波長λにわたりプロットされている。図５から見て取れるように、干渉フィルタ２１は、既述の８個の波長区間の波長を除いた全ての波長に対して透過率１を有しており、それら８個の波長区間の波長に対しては透過率０を有している。従って、干渉フィルタ２１を通過した光における、８個の波長区間の波長を除いた全ての波長は、妨害されること無く干渉フィルタ２１を通過し、その一方で８個の波長区間の波長はブロックされる。
【００２６】
図４の干渉フィルタ２１は、相互に平行に配向されている外面２３及び２４を備えている、湾曲されていない平坦な形状である。相応に、二つの外面２３及び２４のいずれかの個所に対して垂直に延びており、任意の点においてそれらの外面を通る全ての垂線は同様に相互に平行であり、各垂線は８個のフィルタ領域２２の各々と垂直に交差する。垂線に対して平行ではない線又は方向は、確かに同様に８個のフィルタ領域２２の各々と同様に交差するが、しかしながら、フィルタ領域２２の内の一つを横断するためにその種の方向において伝播する光線が必要とする距離は長くなる。この距離の延長は、干渉フィルタ２１の透過特性の波長シフトを惹起し、これはその種の干渉フィルタ２１を備えた眼鏡を装着した人の視線方向に依存する。人の視線方向が干渉フィルタ２１の外面２３，２４に対して垂直である限り、干渉フィルタ２１の透過特性は図５に示されたようになる。視線方向の、外面２３，２４に対して垂直な方向からの偏差が大きくなればなるほど、干渉フィルタ２１の透過特性のシフトは一層大きくなる。実際にこのことは、眼鏡を通して視線を側方に向ける人が、見る画像の色シフトを知覚するように作用する。
【００２７】
上述したように、干渉フィルタ２１においてその種の色シフトを抑制するための一つの可能性は、通常は不変であるフィルタ領域２２において、干渉フィルタ２１を図６に示されているように側方に向かって湾曲させ、眼鏡を装着した人が視線を横に向けた際にその人の目に入射する光線がフィルタ領域２２を通過した辿る距離を最小にし、それによってその距離を、垂線に対して平行な光線がフィルタ領域２２を通って干渉フィルタ２１を横切る際に辿る距離に対応させることである。
【００２８】
図４に示した干渉フィルタ２１が視角に依存する波長シフトを抑制する別の可能性は、干渉フィルタ２１の通常は不変である形状においてフィルタ領域２２を適切に設計することである。例えばフィルタ領域２２が、図２において相互に並んで整列されているフィルタ領域７，８及び９と同様に、複数の部分領域を有することができ、それらの部分領域に対して、波長シフトを抑制するように透過特性がそれぞれ選定されている。相互に並んで配置されており、段階的に変化する透過特性を備えている、その種の多数の部分領域は、全体としては、横方向において連続的に変化する透過特性を備えている、干渉フィルタ２１を通り延在する一つのフィルタ層と同様に作用する。しかしながら、フィルタ領域２２は図３に示されているような露光によって、横方向において変化する透過特性を備えるように形成される。
【００２９】
従って、視角に依存する波長シフトを種々のやり方で低減することができるか、又は完全に補償することができる。つまり、フィルタ領域全体にわたり一定であるか、横方向において変化させることができる透過特性を備えているフィルタ領域が適切に選択されるか、又は、干渉フィルタが図６に示されているように相応に湾曲されるか、又は、それら二つの可能性が相互に組み合わされ、干渉フィルタの湾曲部が相応に配置及び設計されたフィルタ領域と共に設けられる。後者は図２の干渉フィルタ３の場合である。
【００３０】
上記において説明した全ての実施例においては、全てのフィルタ領域が完全に、単一の感光性ポリマーフィルムの内部に存在している。しかしながらこのことは必ずしも必要ではない。殆どの場合、干渉フィルタのフィルタ領域を、一つ又は複数のポリマーフィルム内に任意に配置することができる。特に、フィルタ領域を相互に間隔を空けて積層化すること、又はポリマーフィルム内に完全に配置することは必ずしも必要ではなく、干渉フィルタ２５が示されている図７から見て取れるように、干渉フィルタ２５は相互に積層化された二つの感光性ポリマーフィルム２６及び２７を含んでいる。ポリマーフィルム２６は、その縁部部分に設けられているフィルタ領域２８を有しており、フィルタ領域２８の表面は干渉フィルタ２５の外面の一部を形成している。局所的に限定されており、且つ、フィルタ領域２８から間隔を空けて設けられている別のフィルタ領域２９は完全にポリマーフィルム２６内に配置されている。第２のポリマーフィルム２７は、その縁部部分に同様に配置されているフィルタ領域３０を有しているが、しかしながら、フィルタ領域３０の表面は、ポリマーフィルム２６が積層化されている、ポリマーフィルム２７の外面の一部を形成している。ポリマーフィルム２７内に設けられており、ポリマーフィルム２７全体を通って延びているフィルタ領域３１はフィルタ領域３０と当接するように設けられている。
【００３１】
図８には、本発明による別の眼鏡の二つの干渉フィルタ３２及び３３の断面図が示されている。干渉フィルタ３２は、眼鏡を装着した人の左目に対応付けられており、干渉フィルタ３３は、眼鏡を装着した人の右目に対応付けられている。各干渉フィルタ３２及び３３は、それぞれ積層化された三つのフィルタ領域のセットをそれぞれ一つずつ有しており、各フィルタ領域は約１０ｎｍの厚さを有している。二つの干渉フィルタ３２及び３３は、フィルタ領域の透過特性の、視角に依存する波長シフトを補償するために湾曲した形状に形成されている。干渉フィルタ３２は、干渉フィルタ３２の外面に対して垂直に延びる各垂線がその外面を通る点の間に積層化されて配置されている三つのフィルタ領域３４，３５及び３６のセットを含んでおり、また干渉フィルタ３３は、干渉フィルタ３３の外面に対して垂直に延びる各垂線がその外面を通る点の間に積層化されて配置されている三つのフィルタ領域３７，３８及び３９のセットを含んでいる。第１のセットのフィルタ領域において、フィルタ領域３４は４５３ｎｍから４７７ｎｍの波長に対して非透過性であり、フィルタ領域３５は５３７ｎｍから５６３ｎｍの波長に対して非透過性であり、フィルタ領域３６は６５１ｎｍから６２１ｎｍの波長に対して非透過性であり、また、第２のセットのフィルタ領域において、フィルタ領域３７は４４１ｎｍから４６３ｎｍの波長に対して非透過性であり、フィルタ領域３８は５２２ｎｍから５４８ｎｍの波長に対して非透過性であり、フィルタ領域３９は６０４ｎｍから６３３ｎｍの波長に対して非透過性である。従って、波長が或る程度重畳しているにも係わらず、第１のセットのフィルタ領域３４，３５及び３６がほぼ非透過性である波長と、第２のセットのフィルタ領域３７，３８及び３９がほぼ非透過性である波長とを区別することができる。これによって、干渉フィルタ３２及び３３を備えている眼鏡は、左目及び右目に対してステレオ画像の各透視画像を生じさせることができる。
【００３２】
ステレオ画像を見るためにただ一つの干渉フィルタ４０を有している本発明による別の眼鏡の干渉フィルタ４０の断面図が図９に示されている。干渉フィルタ４０は、眼鏡を装着した人の各目にそれぞれ一つずつ対応付けられている三つのフィルタ領域のセットを含んでいる。三つのフィルタ領域のそれらの各セットのフィルタ特性は、図８における干渉フィルタ３２及び３３のフィルタ領域のセットに対応し、従って同一の参照番号が付されている。従って相応に、図９の干渉フィルタ４０は、干渉フィルタ４０を備えた眼鏡を装着した人の左目に対応付けられている、フィルタ領域の第１のセットの三つのフィルタ領域３４，３５及び３６を有しており、フィルタ領域３４は４５３ｎｍから４７７ｎｍの波長に対して非透過性であり、フィルタ領域３５は５３７ｎｍから５６３ｎｍの波長に対して非透過性であり、またフィルタ領域３６は６５１ｎｍから６２１ｎｍの波長に対して非透過性であり、また、干渉フィルタ４０は、干渉フィルタ４０を備えた眼鏡を装着した人の右目に対応付けられている、フィルタ領域の第２のセットの三つのフィルタ領域３７，３８及び３９を有しており、フィルタ領域３７は４４１ｎｍから４６３ｎｍの波長に対して非透過性であり、フィルタ領域３８は５２２ｎｍから５４８ｎｍの波長に対して非透過性であり、フィルタ領域３９は６０４ｎｍから６３３ｎｍの波長に対して非透過性である。フィルタ領域の透過特性の、視角に依存する波長シフトを補償するために、干渉フィルタ４０は相応に湾曲した形状に形成されている。
【００３３】
図８及び図９の眼鏡の場合のように、左目及び右目に対して、異なる透過特性を備えているフィルタ領域のセットをそれぞれ設ける代わりに、左目及び右目に対応付けられているフィルタ領域のセットが同一のものであっても良く、それによって、左目に対するその種の眼鏡の透過特性を右目に対する透過特性と同一のものにすることができる。その種の眼鏡を用いることによって、例えば、ステレオ画像の二つの透視画像の内の一つだけを見ることができる。
【００３４】
しかしながら大抵の場合、フィルタ領域のセットは、ステレオ画像の二つの透視画像の各々に対して異なるように設定された、可視スペクトルの領域を、複数の制限的なスペクトル区間が透過されるように構成することが提案される。二つの透視画像に対する透過区間の位置は異なるように選定されている。このことは図１０に示されている。
【００３５】
図１０には、図８及び図９に示されている場合と同様に、眼鏡を装着した人の左目及び右目に対して、異なる透過特性を備えているフィルタ領域のセットがそれぞれ設けられている、ステレオ画像を見るための眼鏡の透過特性が示されているが、もっとも各セットは積層化されて配置されている三つのフィルタ領域の代わりに四つのフィルタ領域を備えている。図１０の上部には、右目に関する眼鏡の透過スペクトルが示されており、図１０の下部には左目に関する眼鏡の透過スペクトルが示されている。ここでは、透過率のパーセンテージが波長（単位ｎｍ）にわたりそれぞれプロットされている。図から見て取れるように、眼鏡は右目に対して可視スペクトルの内、四つの波長区間が除かれている。左目に関しても同様に、可視スペクトルの内、四つの波長区間が除かれている。しかしながら、左目に関して除かれている四つの波長区間は常に、右目に関して除かれている波長区間の間に位置しており、その際に、左目に関して除かれている波長区間が右目に関して除かれている波長区間と重畳することはない。従って、右目に関して除かれている波長区間は、左目に関して除かれている波長区間と交互に配置されている。
【図１】
0006042354.tif 000002
【図２】
0006042354.tif 000003
【図３】
0006042354.tif 000004
【図４】
0006042354.tif 000005
【図５】
0006042354.tif 000006
【図６】
0006042354.tif 000007
【図７】
0006042354.tif 000008
【図８】
0006042354.tif 000009
【図９】
0006042354.tif 000010
【図１０】
0006042354.tif 000011